(57)【要約】【課題】【解決手段】より低い計算負荷をもつＩＰフレーム組み立てを支持するための技術がここに開示される。一側面において、ＩＰパケットはＲＬＰフレームに分割される。次に、ＩＰパケットは、ＲＬＰフレームに分割され、ＲＬＰを使用するワイヤレスデータリンク上を送信される。他の側面では、受信されたＲＬＰフレームは、ＩＰパケットに再構成される。ＲＬＰフレーム組み立ては、再構成されたＩＰパケットに対するフレーム境界を提供するのに使用される。これらの側面は、ＲＬＰの基礎をなすフレーム送信及びフレーム組み立て特性を使用する利点を有し、ＩＰパケットの組み立て、送信及び受信に関連する計算コストを最小化する。ここに開示された技術は、アクセスポイント及びアクセス端末の両方に等しく適用される。
2004531992.tif 000002
【特許請求の範囲】
【請求項１】
無線リンクプロトコルを使用するワイヤレスリンクを介してインターネットプロトコル（ＩＰ）パケットを送信する方法であって、
ＲＬＰフレーム境界を使用して前記ＩＰパケットを組み立てることを具備する方法。
【請求項２】
ＲＬＰを使用してワイヤレスリンク上をデータ源からデータシンクへとＩＰパケットを送信する方法であって、
前記データ源からの前記ＩＰパケットをＲＬＰフレームに分割することと、
ＲＬＰを使用して前記ワイヤレスリンク上を前記ＲＬＰフレームを送信することと、
前記データシンクへの配送のために前記送信されたＲＬＰフレームをＩＰパケットにフォーマットすることと、
ＲＬＰフレーム境界を使用して前記ＩＰパケットを組み立てることと
を具備する方法。
【請求項３】
前記ＩＰパケットの各々の１つは前記分割工程の間に、１つのＲＬＰフレーム内にカプセル化されることを特徴とする請求項２記載の方法。
【請求項４】
各ＩＰパケットは４０９６オクテットあるいはそれ未満である請求項３記載の方法。
【請求項５】
ポイントツーポイント（ＰＰＰ）を使用して、ＲＬＰを使用するワイヤレスリンク上をデータ源からデータシンクにＩＰパケットを送信する方法であって、
前記データ源からのＩＰパケットをＰＰＰフレームにフォーマットすることと、
前記ＰＰＰフレームをＲＬＰフレームに分割することと、
ＲＬＰを使用して前記ワイヤレスリンク上を前記ＲＬＰフレームを送信することと、
前記送信されたＲＬＰフレームをＰＰＰフレームにフォーマットすることと、
前記データシンクへの配送のために前記ＰＰＰフレームをＩＰパケットにフォーマットすることと、
ＲＬＰフレーム境界を使用して前記ＩＰパケットを組み立てることと、
を具備する方法。
【請求項６】
前記ＰＰＰパケットの各一つは前記分割工程の間に、１つのＲＬＰフレーム内にカプセル化する請求項５記載の方法。
【請求項７】
ＲＬＰを使用してワイヤレスリンク上をＰＰＰフレームを送信する方法であって、
前記ＰＰＰフレームをＲＬＰフレームに分割することと、
ＲＬＰを使用して前記ワイヤレスリンク上を前記ＲＬＰフレームを送信することと、
前記送信されたＲＬＰフレームをＰＰＰフレームにフォーマットすることと、
ＲＬＰフレーム境界を使用して前記ＰＰＰフレームを組み立てることと、
を具備する方法。
【請求項８】
前記ＰＰＰパケットの各一つは、前記分割工程の間に、１つのＲＬＰフレーム内にカプセル化される請求項７に記載の方法。
【請求項９】
通信システムであって、
ＲＬＰを使用してデータを送信するための送信器と、
ＲＬＰを使用してデータを受信するための受信器とを具備し、
前記送信器は、ＩＰパケットを受信して前記ＩＰパケットをＲＬＰフレームに分割するＲＬＰプロセッサを具備し、
前記受信器は、受信したＲＬＰフレームとＲＬＰ境界とからＩＰパケットとフレーム境界とを生成するためのＲＬＰプロセッサを具備する通信システム。
【請求項１０】
ｃｄｍａ２０００システムであって、
ＲＬＰを使用してデータを送信するための送信器と、
ＲＬＰを使用してデータを受信するための受信器とを具備し、
前記送信器は、ＩＰパケットを受信して当該ＩＰパケットをＲＬＰフレームに分割するためのＲＬＰプロセッサを具備し、
前記受信器は、受信したＲＬＰフレームとＲＬＰフレーム境界とからＩＰパケットとフレーム境界とを生成するためのＲＬＰプロセッサを具備するｃｄｍａ２００システム。
【請求項１１】
ＲＬＰを使用してデータを送信するための送信器であって、ＩＰパケットを受信して当該ＩＰパケットをＲＬＰフレームに分割するためのＲＬＰプロセッサを具備する送信器。
【請求項１２】
前記ＩＰパケットの各々は１つのＲＬＰフレームに分割される請求項１１に記載の送信器。
【請求項１３】
ＲＬＰを使用してデータを受信するための受信器であって、
受信したＲＬＰフレームとＲＬＰフレーム境界とからＩＰパケットとフレーム境界とを生成するためのＲＬＰプロセッサを具備する受信器。
【請求項１４】
ワイヤレス通信システムにおけるアクセスポイントであって、受信したＲＬＰフレームとＲＬＰフレーム境界とからＩＰパケットとフレーム境界とを生成するためのＲＬＰプロセッサを具備するアクセスポイント。
【請求項１５】
ＩＰパケットを受信して当該ＩＰパケットをＲＬＰフレームに分割するためのＲＬＰプロセッサを具備するアクセスポイント。
【請求項１６】
ワイヤレス通信システムにおけるアクセスポイントであって、
ＲＬＰを使用してデータを送信するための送信器と、
ＲＬＰを使用してデータを受信するための受信器とを具備し、
前記送信器は、ＩＰパケットを受信して当該ＩＰパケットをＲＬＰフレームに分割するためのＲＬＰプロセッサを具備し、
前記受信器は、受信したＲＬＰフレームとＲＬＰフレーム境界とからＩＰパケットとフレーム境界とを生成するためのＲＬＰプロセッサを具備するアクセスポイント。
【請求項１７】
ワイヤレス通信システムにおけるアクセス端末であって、受信したＲＬＰフレームとＲＬＰフレーム境界とからＩＰパケットとフレーム境界とを生成するためのＲＬＰプロセッサを具備するアクセス端末。
【請求項１８】
ワイヤレス通信システムにおけるアクセス端末であって、
ＩＰパケットを受信して当該ＩＰパケットをＲＬＰフレームに分割するためのＲＬＰプロセッサを具備するアクセス端末。
【請求項１９】
ワイヤレス通信システムにおけるアクセス端末であって、
ＲＬＰを使用してデータを送信するための送信器と、
ＲＬＰを使用してデータを受信するための受信器と、
を具備し、
前記送信器は、ＩＰパケットを受信し、当該ＩＰパケットをＲＬＰフレームに分割するＲＬＰプロセッサを具備し、
前記受信器は、受信したＲＬＰフレームとＲＬＰフレーム境界とからＩＰパケットとフレーム境界とを生成するためのＲＬＰプロセッサを具備するアクセス端末。
【発明の詳細な説明】
【技術分野】
【０００１】
本発明は概して通信に関し、より詳細には無線リンクプロトコルを使用してインターネットプロトコルフレーミングを生成するための新規で改善された方法及び装置に関する。
【背景技術】
【０００２】
ワイヤレス通信システムは音声、データなどの種々のタイプの通信を提供するために後半に展開されている。これらのシステムは、符号分割多元接続（ＣＤＭＡ）、時分割多元接続（ＴＤＭＡ）あるいは他の変調技術を基礎としている。ＣＤＭＡシステムは他のタイプのシステムと比較して、システム容量が増大することを含むある主の利点を提供する。
【０００３】
ＣＤＭＡシステムは、（１）“二重モードワイドバンドスペクトラム拡散セルラシステムのためのＴＩＡ／ＥＩＡ−９５−Ｂ移動局−基地局両立標準”（ＩＳ−９５標準）、（２）“二重モードワイドバンドスペクトラム拡散セルラ移動局のためのＴＩＡ／ＥＩＡ−９８−Ｃ推奨最低基準”（ＩＳ−９８標準）、（３）“第３世代パートナーシッププロジェクト”（３ＧＰＰ）という名の共同体によって提供され、文書番号３Ｇ  ＴＳ２５．２１１、３ＧＴＳ  ２５．２１２、３Ｇ  ＴＳ２５．２１３、３Ｇ  ＴＳ２５．２１４（Ｗ−ＣＤＭＡ標準）によって具現化された標準、（４）“第３世代パートナーシッププロジェクト２”（３ＧＰＰ２）という名の共同体によって提供され、“ｃｄｍａ２０００スペクトラム拡散システムのためのＴＲ−４５．５物理レイヤ標準”、“ｃｄｍａ２０００スペクトラム拡散システムのためのＣ．Ｓ０００５−Ａ上流レイヤ（レイヤ３）シグナリング標準”そして、“Ｃ．Ｓ００２４ｃｄｍａ２０００高レートパケットデータエアインタフェース仕様”（ｃｄｍａ２０００）を含む一連の文書において具現化された標準、（５）その他の標準などの１つまたはそれ以上のＣＤＭＡ標準を支持するべく設計される。上記した標準は、送信器は、引用によってここに組み込まれているものとする。ｃｄｍａ２０００標準の高レートパケットデータ仕様を実装するシステムは、ここでは高データレート（ＨＤＲ）システムと呼ばれる。ＨＤＲシステムは、ＴＩＡ／ＥＩＡ−ＩＳ−８５６及び“ＣＤＭＡ２０００高レートパケットデータエアインタフェース仕様”内で文書化され、引用によってここに組み込まれているものとする。提案されたワイヤレスシステムは、（音声とファックスサービスなどの）ＨＤＲと低データレートサービスとの組み合わせを提供する。
【０００４】
ＣＤＭＡを使用しないワイヤレスデータ通信システムの一例はＧＰＲＳシステムであり、これは３ＧＰＰにより提供された他の標準であり、３ＧＴＳ２３．０６０を含む一連の文書及び関連する文書（ＧＰＲＳ標準）。
【０００５】
データシステムは概してデータ転送を確立するために、インターネットプロトコル（ＩＰ）を使用する。ＩＰを使用するシステムは、パケットの形態でデータを送信し、パケットフレーミングすなわち各ＩＰパケットの開始と終了を追跡するために、ＩＰ以下のレイヤであるリンクレイヤに依存する。ＩＳ−９５標準を使用するＣＤＭＡシステムはＩＰをポイントツーポイントプロトコル（ＰＰＰ）上で動作させる。一方、ＰＰＰはハイデータリンクコントロール（ＨＤＬＣ）という名のフレーミングプロトコルを使用する。ＰＰＰのためにＨＤＬＣを使用するさらなる情報は、ＩＥＴＦ  ＲＦＣ１６６２を参照されたし。
【０００６】
ＨＤＬＣなどのフレーミングプロトコルを使用することに加えて、ＰＰＰは低レベルプロトコル上で動作する。例えば、ｃｄｍａ２０００システムは、無線リンクプロトコルタイプ３（以下、ＲＬＰと呼ぶ）上でＰＰＰを動作させる。ｃｄｍａ２０００データサービスに関する詳細については、“スペクトラム拡散システムのためのデータサービスオプション”という文書のＴＩＡ／ＥＩＡ／ＩＳ−７０７ファミリを参照せよ。特にＲＬＰについての詳細は、ＴＩＡ／ＥＩＡ／ＩＳ−７０７−Ａ−２．１０、“スペクトラム拡散システムのためのデータサービスオプション：無線リンクプロトコルタイプ３”（ＲＬＰ標準）を参照せよ。ＲＬＰはフォワード及びリバーストラフィックチャネルを介してオクテットストリームトランスポートサービスを提供する。ＲＬＰはより高いレイヤのフレーミングには気がついていない。それは特徴のないオクテットストリーム上で動作し、受信した順番でオクテットを配送する。
【発明の開示】
【発明が解決しようとする課題】
【０００７】
ＨＤＬＣフレーミングにおいて、フラグはパケットの開始と終了を識別するのに使用される。使用される特定のフラグは０１１１１１１０の二進系列である。これらのフラグを使用することは、送信のためのデータを準備する送信器とそのデータを受信する受信器の両方において一部の処理が完了することを引き起こす。送信器において、送信されるデータ系列はフラグ系列の出現を監視しなければならない。データ内にその系列が存在するならば、受信器がそのデータ系列をパケットの終わりを区切っているフラグであると誤って判断することを防止するために、エスケープフラグが挿入される。受信器において、受信データストリームにおけるもとのデータ系列により置き換えられねばならないエスケープキャラクタと同様、フラグの開始及び終了を検出するために入力されるデータは監視されねばならない。
【０００８】
出力及び入力データの監視が要求されるＨＤＬＣなどのフレーミングプロトコルを使用することは、監視を行う中央処理ユニット（ＣＰＵ）の計算上の負荷を増やしてしまう。データレートが増大するとこれに比例して計算上の負荷が増大する。一例を上記した新規のワイヤレスシステムはＩＳ９５により支持されるものよりも高いデータレートを支持する。ワイヤレスシステムにおけるより高いデータレートへの傾向は継続するものと思われる。従って、より低い計算負荷と要求で、ＩＰとその関連するフレーミングの支持に対する業界のニーズがある。
【課題を解決するための手段】
【０００９】
ここに開示された実施形態は低い計算負荷でＩＰを支持することに対するニーズに焦点を当てている。一側面において、ＩＰパケットはＲＬＰフレームに分割される。次に、ＲＬＰフレームに分割されたＩＰパケットは、ＲＬＰを使用するワイヤレスデータリンクを介して送信される。他の側面において、受信されたＲＬＰフレームはＩＰパケットに再構成される。ＲＬＰフレーミングは再構成されたＩＰパケットに対するフレーム境界を供給するのに使用される。これらの側面は、ＲＬＰの基礎をなすフレーム転送とフレーミング特性を使用する利点をもち、ＩＰパケットのフレーミング、送信、受信に関連する計算負荷を最小にする。ここに記載された技術は、アクセスポイントとアクセス端末の両方に等しく適用される。本発明の他の種々の側面が開示される。
【００１０】
本発明は以下に説明するように、本発明の種々の側面、実施形態、特徴を実現する方法及びシステム要素を提供する。
【発明の効果】
【００１１】
本発明によれば、より低い計算負荷と要求で、ＩＰとその関連するフレーミングを提供することが可能になる。
【発明を実施するための最良の形態】
【００１２】
図１は、多数のユーザを支持するワイヤレス通信システム１００のブロック図である。システム１００は１つまたはそれ以上の標準及び／又は設計（例えばＩＳ−９５，ｃｄｍａ２０００標準及びＨＤＲ仕様、ＧＰＲＳ標準）を支持するために設計される。説明を簡単にするために、ここでのシステム１００は、（遠隔端末あるいは移動局と呼ばれる）２つの端末と通信する（基地局と呼ばれる）３つのアクセスポイントを含む。アクセスポイント及び統括エリアはしばしば略して“セル”と呼ばれる。
【００１３】
あるＣＤＭＡシステムが実行されているときに、各アクセス端末１０６は任意の時間にフォワードリンクを介して１つ（又はそれ以上）のアクセスポイント１０４と通信を行い、アクセス端末がソフトハンドオフ状態にあるかどうかによって、リバースリンクを介して１つまたはそれ以上のアクセスポイントと通信を行う。フォワードリンク（すなわちダウンリンク）はアクセスポイントからアクセス端末への送信を意味し、リバースリンク（すなわちアップリンク）はアクセス端末からアクセスポイントへの送信を意味する。
【００１４】
混乱を避けるために、他に定義されない限り、本発明を記述するのに使用される例では、アクセスポイントを信号の発生器であり、アクセス端末はこれらの信号の受信器、すなわちフォワードリンクであるものとする。当業者ならば、アクセス端末及びアクセスポイントはここに記載のデータを送信するように構成され、本発明の一側面はこれらの状況すなわちリバースリンクにも適用されることを理解するであろう。術語“例示的な”はここでは“一例、インスタンス、あるいは例図として用いられる”ことを意図して用いられる。ここで“例示的”として記述された実施形態は必ずしも他の実施形態と比較して好ましいあるいは利点をもつという意味に解釈されるべきではない。
【００１５】
図２は、ワイヤレスデータシステム２００の一般的なブロック図である。アクセスポイント又は基地局２１５は、アンテナ２３５を介してワイヤレスリンクを介してアクセス端末あるいは移動局２４５のアンテナ２４０と通信する。基地局２１５は、１つまたはそれ以上のパケットデータサービスノード（ＰＳＤＮ）２１０Ａ−２１０Ｎに接続され、これらはインターネット２０５に接続される。データはＩＰパケットを使用してインターネット２０５、ＰＤＳＮ２１０Ａ−２１０Ｎ及び基地局２１５間で転送される。
【００１６】
ルータ２２０は、基地局２１５に対してルーティングサービスを提供する。ルータ２２０は、送信器２２５を介したワイヤレスリンク上の送信のために、ＰＤＳＮ２１０Ａ−２１０Ｎを介してインターネット２０５からそして基地局内部のデータ源からＩＰデータを受信する。
【００１７】
基地局２１５から移動局２４５への送信は概して、フォワードリンクとして知られる。送信器２２５は、ＩＰパケット及び関連するフレーム境界を受信して、使用されているエアインタフェース標準に従って、アンテナ２３５を介したデータ送信の準備を行う。送信された信号は、アンテナ２４０を介して移動局２４５で受信され、受信器２５０に配送される。受信器２５０は送信された信号をベースバンドに変換し、当該データを復調し、ＩＰパケット内のデータを関連するフレーム境界とともにデータアプリケーションブロック２５５に配送する。ブロック２５５は、移動局２４５において動作している多数のデータアプリケーションを表示する。
【００１８】
データアプリケーションブロック２５５には、外部的にアクセス端末あるいは移動局２４５に接続されたポータブルコンピュータあるいは他のデータ機器である、オプションとしての外部機器２６５（１台以上の外部機器が存在する）である。データ機器２５５と外部機器２６５間のリンクはＩＰリンクあるいは（Bluetoothなどのワイヤレスリンクを含む）他の任意のタイプのリンクである。一方、外部機器２６５に対するリンクは、受信器２５０から直接到来するリンク（図示せず）である。
【００１９】
移動局２４５から基地局２１５へのデータ送信は概してリバースリンクとして知られる。外部機器２６５あるいはデータアプリケーション２５５からのデータはＩＰパケット（及び関連するフレーム境界）を介して送信器２６０に配送される。送信器２６０は、リバースリンクに用いられるエアインタフェースに従って、アンテナ２４０を介したデータ送信の準備をする。送信された信号はアンテナ２３５を介して基地局２１５で受信され、受信器２３０に配送される。受信器２３０は、送信された信号をベースバンドに変換し、当該データを復調し、ＩＰパケット内のデータを関連するフレーム境界とともに、ＰＳＤＮ２１０Ａ−２１０Ｎ及びインターネット２０５（データの送り先は基地局１５内部である場合もある）を介した最終的な送り先に配送するルータ２２０に配送するのに必要なオペレーションを実行する。
【００２０】
図３は、図２に示すような、送信器２２５あるいは送信器２６０としてワイヤレスデータシステム２００内で構成するのに適した送信器３００を示す。送信器３００において、ＩＰパケットは、ＲＬＰプロセッサ３１０に配送される。ＩＰパケットは処理されてＲＬＰフレームになり、ＭＵＸサブレイヤプロセッサ３２０に配送される。ＭＵＸサブレイヤプロセッサ３２０はＲＬＰフレーム及び他のデータを受信してともに多重化し、それらをモデム３３０に配送する。モデム３３０は、アンテナ３４０（アンテナ３４０は図２に関するアンテナ２３５あるいは２４０に対応する）を介した送信のための物理レイヤ処理を実行する。モデム３３０は、展開されているエアインタフェースに従って物理レイヤを処理する（物理レイヤはフォワード及びリバースリンクに関して異なっている）。
【００２１】
例示的な実施形態において、ｃｄｍａ２０００標準が展開され、ＩＰパケットを送信及び受信するためにＰＰＰプロトコルが使用される。この例において、ＲＬＰプロセッサに配送されたＩＰパケットはＰＰＰフレームである。ＲＬＰフレーミングが使用さされるので、フレーミングを提供するのにＨＤＬＣは不要である。このことは、送信器がフラグの開始及び終了の出現のために送信されたデータを監視してそれらを前記の発明の背景部分で述べたようなエスケープ系列で置き換える負担を解放する。
【００２２】
図４は、上記したプロシージャのためのフレーム構成の詳細を示している。ＩＰパケット（またはＰＰＰフレーム）はＲＬＰプロセッサ３１０内において受信される。これらの例はＩＰフレームｎ４００及びＩＰフレームｎ＋１４０２である。各ＩＰフレームは１つのＲＬＰフレームにカプセル化され、これによって、ＲＬＰフレーミングが無線リンクに渡って使用され、さらなるフレーム処理が不要となる。ＲＬＰフレームは、最大４０９６オクテットからなる。ＲＬＰプロセッサ３１０は、フレーム系列を増大し、フレーム番号を各ＲＬＰフレームに付与する（prepend）。ＲＬＰがどのように使用されるかについての詳細はＲＬＰ標準を参照せよ。
【００２３】
ＲＬＰフレームは、ｍｕｘサブレイヤプロセッサ３２０に配送されて他の任意のデータストリームとともに処理され、多重化されたサブレイヤプロトコルデータユニット（ｍｕｘＰＤＵ）として知られる送信のためのユニットになる。しばしば、ＲＬＰフレームは１つのｍｕｘＰＤＵにわたって搬送されず、多数のｍｕｘＰＤＵにわたって拡散されなければならない。図４において、フレーム４０４及び４０６は（ＩＰフレーム４００に関連する）ＲＬＰフレームｎの２つのセグメントを示す。フレーム番号は上記したように付与される。同様にして、フレーム４０８及び４１０は（ＩＰフレームn+1 ４０２に関連する）ＲＬＰフレームｎ＋１に対応する。フレーム４０４、４０６、４０８及び４１０のおのおのは、多重化されたサブレイヤサービスデータユニット（あるいはｍｕｘＳＤＵ）と呼ばれるｍｕｘＰＤＵのペイロードを構成し、それぞれ、ｍｕｘＰＤＵ４１２、４１４、４１６及び４１８を形成するためにヘッダが付与される。ｍｕｘＰＤＵは、物理レイヤ処理のためにモデム３３０に配送され、最終的にアンテナ３４０を介して送信される。
【００２４】
図５は、図２に示すような、受信器２３０または受信器２５０ワイヤレスデータシステム２００において構成するのに適している送信器５００を示す。図３及び図４に関連して上記のように処理された、データを含む信号はアンテナ５１０を介して受信され、モデム５２０に配送される。モデム５２０は使用されるエアインタフェースに従って必要なダウンコンバージョンとベースバンド処理を実行する。データはｍｕｘサブレイヤプロセッサ５３０に配送されて逆多重化される。他のサービスに対するデータは、その目的地（図示せず）に配送され、ＲＬＰフレームはＲＬＰプロセッサ５４０に配送される。ＲＬＰプロセッサ５４０は、ＲＬＰフレームの再構成を含む、ＲＬＰ標準に記述されたＲＬＰ処理を実行する。各ＲＬＰフレームからのデータはＩＰパケットに対するデータに対応し、ＲＬＰフレーム境界はＩＰフレーミングを提供する。ＲＬＰプロセッサ５４０は、ＲＬＰフレームからＩＰパケットを再構成し、それらをＲＬＰフレーム境界とともに目的地（図５に示さず、例えば図２を参照せよ）に配送する。
【００２５】
ＲＬＰの一側面は、パケット長を示すために長さフィールドを使用することであり、これによって、受信器５００は、（ＨＤＬＣなどのフラグを基礎としたフレーミングにおいて要求される）各バイトが配送されるときに各バイトを監視する必要性から解放される。例示的な実施形態（ｃｄｍａ２０００システム）において、ＲＬＰはすでにＰＰＰレイヤと多重化されたサブレイヤ間に構成されるので、ＲＬＰ処理は全体処理上の負荷にさらなる負荷を追加することにはならない。
【００２６】
本発明の特徴は、例示的なｃｄｍａ２０００システムに容易に適用可能であるが、ＲＬＰあるいは類似のプロトコルが使用される任意のワイヤレスデータシステムにも同様に適用可能である。例えば、この処理は、ＩＰを無線リンク制御（ＲＬＣ）上で直接動作させる“ネイティブＩＰ”オプションの環境下でＧＰＲＳと両立する。このような状況において、ＲＬＰフレーミングはＩＰフレーミングを提供するのに使用される。ＲＬＰは、ＭＣ−ＭＡＰあるいはＨＤＲ−ＧＰＲＳのような混在モードにおいてデータサービスを動作させるときに、ネイティブＩＰモードを支持するのに使用可能である。
【００２７】
上記したすべての実施形態において、方法ステップは本発明の権利範囲から逸脱することなしに交換可能である。
【００２８】
当業者ならば、情報及び信号は、種々の異なる技術と手法を使用して表示されることを理解するであろう。例えば、データ、指令、コマンド、情報、信号、ビット、シンボル及び上記記載において参照されたチップは、電圧、電流、電磁波、磁界または粒子、光界（optical field）あるいは粒子、あるいはそれらの任意の組み合わせによって表される。
【００２９】
当業者はさらに、ここに開示された実施形態に関連して記述された、種々の例示的な論理ブロック、モジュール、回路、及びアルゴリズムステップは、電子ハードウェア、コンピュータソフトウェア、あるいはそれらの組み合わせとして実現されることを理解するであろう。ハードウェア及びソフトウェアのこのような交換可能性を明確に示すために、種々の例示的な構成要素、ブロック、モジュール、回路及びステップは概して機能性の観点から説明された。そのような機能がハードウェアとして実現されるかソフトウェアとして実現されるかは、特定のアプリケーションと全システムに課せられた設計束縛に依存する。熟練者は各特定のアプリケーションに対して種々の方法により記述された機能を実現するが、そのような実現決定は、本発明の範囲からの逸脱を引き起こすものと解釈されるべきでない。
【００３０】
ここに開示された実施形態に関連して記述された種々の例示的な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）あるいは他のプログラマブルロジックデバイス、デスクリートゲートあるいはトランジスタロジック、デスクリートハードウェア要素、あるいは上記した機能を実行するように設計されたそれらの任意の組み合わせにより実現あるいは実行される。汎用プロセッサはマイクロプロセッサであるが、その代わりに、プロセッサは従来の任意のプロセッサ、コントローラ、マイクロコントローラあるいはステートマシンである。プロセッサは計算装置の組み合わせ、例えば、ＤＳＰ及びマイクロコントローラ、複数のマイクロプロセッサ、ＤＳＰコアに関連する１つまたはそれ以上のマイクロプロセッサ、任意の他の構成の組み合わせとして実現される。
【００３１】
ここに開示された実施形態に関連して記載された方法あるいはアルゴリズムのステップは、直接ハードウェアにより、あるいはプロセッサにより実行されるソフトウェアモジュール、あるいは前記２つの組み合わせにより具現化される。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当業界で既知の他の任意の形態の記憶媒体内に常駐している。例示的な記憶媒体はプロセッサに結合され、そのようなプロセッサは当該記憶媒体に関して情報を読み出したり情報を記憶することが可能である。あるいは、記憶媒体はプロセッサと一体化されているだろう。プロセッサ及び記憶媒体はＡＳＩＣ内に搭載される。ＡＳＩＣはユーザ端末内に搭載される。あるいは、プロセッサ及び記憶媒体はユーザ端末内に離散要素として搭載される。
【００３２】
開示された実施形態の上記の記載は、当業者が本発明を製造または使用できるようにするべく提供されたものである。当業者はこれらの実施形態に対して種々の変更を行うことが可能であり、ここで規定された一般的な原理は本発明の精神あるいは範囲から逸脱することなしに他の実施形態にも適用可能である。すなわち、本発明は、ここに開示された実施形態に限定されることはなく、開示された原理及び新規な特徴に適合した最も広い権利範囲が与えられるべきである。
【図面の簡単な説明】
【００３３】
本発明の特徴、性質及び利点は、図面を参照した以下の詳細な説明からより明らかになる。ここで、同一の参照符号は明細書全体に渡って同一のものを表すものとする。
【図１】本発明の種々の側面を実現する、多数のユーザを支持するワイヤレス通信システムを示す図である。
【図２】ワイヤレスデータシステムの一般的なブロック図である。
【図３】本発明の種々の側面に従って構成された送信器を示す図である。
【図４】ＲＬＰ上のＩＰフレーミングに対するフレーム構成を示す図である。
【図５】本発明の種々の側面に従って構成された受信器を示す図である。
【図１】
2004531992.tif 000003
【図２】
2004531992.tif 000004
【図３】
2004531992.tif 000005
【図４】
2004531992.tif 000006
【図５】
2004531992.tif 000007
【国際公開パンフレット】
2004531992.tif 000008
2004531992.tif 000009
2004531992.tif 000010
2004531992.tif 000011
2004531992.tif 000012
2004531992.tif 000013
2004531992.tif 000014
2004531992.tif 000015
2004531992.tif 000016
2004531992.tif 000017
2004531992.tif 000018
2004531992.tif 000019
2004531992.tif 000020
2004531992.tif 000021
2004531992.tif 000022
2004531992.tif 000023
2004531992.tif 000024
2004531992.tif 000025
2004531992.tif 000026
2004531992.tif 000027
【国際調査報告】
2004531992.tif 000028
2004531992.tif 000029